(57)【要約】【課題】  工具を使用しないで取付け部品を固定することが可能な部品固定器具の提供。【解決手段】  取付け部品２１、２３の取付け穴２２，２４に治具１をその頭部６から軸部４、軸部３の順に挿入する。取付け部品２３の取付け穴２４の下方に露出している治具１の頭部６と軸部４に治具７の挿入穴部１０を位置決めし、治具７を取付け部品２３に当接するまで挿入する。取付け部品２３に当接するまで挿入した治具７を右回転あるいは左回転させて、治具１のボール部５を治具７のボール穴部９に嵌め込ませ、取付け部品２１と取付け部品２３とを固定する。【選択図】      図５
2005256879.tif 000002
【特許請求の範囲】
【請求項１】
円板状の固定部と、前記固定部より小径の第１軸部と、前記第１軸部より小径の第２軸部と、前記第２軸部の先端に設けた頭部とを有する上部固定器具と、前記頭部を挿入する挿入穴部を有する下部固定器具とから構成され、
前記上部固定器具の頭部から第２軸部、第１軸部の順に複数の取付け部品の取付け穴に挿入し、前記複数の取付け部品の取付け穴の下方に露出する前記頭部を前記下部固定器具の挿入穴部に挿入し、前記上部および下部固定器具の一方をひねることにより前記複数の取付け部品を固定することを特徴とする部品固定器具。
【請求項２】
前記頭部および前記挿入穴部は長方形状に形成され、前記下部固定器具の下面には前記頭部よりも大径の皿部が形成されることを特徴とする請求項１記載の部品固定器具。
【請求項３】
前記上部固定器具の第１軸部の下面には突起部が設けられ、前記下部固定器具の上面には前記突起部を嵌め込むための突起部用穴部が設けられることを特徴とする請求項１または２記載の部品固定器具。
【請求項４】
前記下部固定器具の上面には突起部が設けられ、前記上部固定器具の第１軸部の下面には前記突起部を嵌め込むための突起部用穴部が設けられることを特徴とする請求項１または２記載の部品固定器具。
【請求項５】
前記突起部および前記突起部用穴部は複数個設けられることを特徴とする請求項３または４記載の部品固定器具。
【請求項６】
前記突起部はボール状に形成されることを特徴とする請求項３から５いずれかに記載の部品固定器具。
【請求項７】
前記複数の取付け部品は搬送用治具と筐体であることを特徴とする請求項１から６いずれかに記載の部品固定器具。
【発明の詳細な説明】
【技術分野】
【０００１】
本発明は、部品固定器具に関し、特に搬送用治具と筐体とを固定する部品固定器具に関する。
【背景技術】
【０００２】
従来、金物類を固定する器具の一例として、再使用可能なネジ類、あるいは再使用不可能なリベット類が用いられてきた。図１２は従来の部品固定器具および取付け部品の一例の側面図である。
【０００３】
同図を参照すると、工具１０１および１０２と、ネジ１０３と、ワッシャ１０４と、ナット１０５と、取付け部品１０６および１０７とが表示されている。
【０００４】
すなわち、従来は取付け部品１０６および１０７を固定するために、ネジ１０３と、ワッシャ１０４と、ナット１０５とを用いていた。そして、工具１０２でナット１０５を支持し、工具１０１でネジ１０３を回すことにより取付け部品１０６および１０７を固定していた。あるいは、工具１０１でネジ１０３を支持し、工具１０２でナット１０５を回すことにより取付け部品１０６および１０７を固定していた。
【０００５】
しかし、従来の取付け部品の固定には工具を使用する必要があり、そのため多くの時間を費やし作業者に対する負担が大きいという欠点があった。
【０００６】
一方、この欠点を解消するための手段の一例が特許文献１に開示されている。これは、座金の外周にデーパ面を形成し、座金とナットの間に座金を締め付け方向に押圧するスプリングを設け、締め付けボルトの軸部に座金が当接する被固着体の締め付け面よりも若干低位置に座金を係止する段部を設けたものである。
【０００７】
この技術によれば、締め付けボルトに座金とナットを取り付けた状態で、そのボルト等を取り付けた支持台を水平移動し、被固着体にそのボルト等をはめ込むことにより、工具を使用しないで被固着体を固定することができる。
【０００８】
【特許文献１】実開昭６０−１９５１２２号公報（実用新案登録請求の範囲、第３図、第４図）
【発明の開示】
【発明が解決しようとする課題】
【０００９】
しかし、特許文献１記載の技術は締め付けボルト、座金およびナットに改良を加えたものであるのに対し、本発明は締め付けボルト、座金およびナットを使用しないで、他の新規な部品固定器具を用いて取付け部品を固定するという点で特許文献１記載の技術と相違する。
【００１０】
そこで本発明の目的は、特許文献１記載の技術と全く異なる技術により、工具を使用しないで取付け部品を固定することが可能な部品固定器具を提供することにある。
【課題を解決するための手段】
【００１１】
前記課題を解決するために本発明による部品固定器具は、円板状の固定部と、前記固定部より小径の第１軸部と、前記第１軸部より小径の第２軸部と、前記第２軸部の先端に設けた頭部とを有する上部固定器具と、前記頭部を挿入する挿入穴部を有する下部固定器具とから構成され、前記上部固定器具の頭部から第２軸部、第１軸部の順に複数の取付け部品の取付け穴に挿入し、前記複数の取付け部品の取付け穴の下方に露出する前記頭部を前記下部固定器具の挿入穴部に挿入し、前記上部および下部固定器具の一方をひねることにより前記複数の取付け部品を固定することを特徴とする。
【００１２】
本発明によれば、上部固定器具と下部固定器具とにより取付け部品を挟持し、上部および下部固定器具の一方をひねることにより取付け部品を固定することが可能となる。
【発明の効果】
【００１３】
本発明によれば、上記構成を有することにより、工具を使用しないで取付け部品を固定することが可能となる。したがって、作業時間の短縮および作業者への負担の軽減が可能となる。
【発明を実施するための最良の形態】
【００１４】
以下、本発明の実施の形態について添付図面を参照しながら説明する。図１は本発明に係る部品固定器具の上部固定器具の一例の構成図、図２は同部品固定器具の下部固定器具の一例の構成図である。また、各図の（Ａ）は側面図、（Ｂ）は底面図を示している。
【００１５】
図１（Ａ），（Ｂ）を参照すると、上部固定器具１（以下、治具１と表示する）は、固定部２と、軸部３と、軸部４と、頭部６とから構成され、軸部３の下面にはボール状の突起部（以下、ボール部と表示する）５が設けられている。このボール部５は弾性部材（図示しない）等を介してボールを下方向に押圧する構成でもよいが、単に軸部３の下面の一部を突起させたものでもよい。
【００１６】
固定部２は円板状をなし、その下面に固定部２より小径の軸部３が設けられ、その下面に軸部３より小径の軸部４が設けられ、その下面に径が軸部３に等しく略長方形状をなす頭部６が設けられている。
【００１７】
また、図２（Ａ），（Ｂ）を参照すると、下部固定器具７（以下、治具７と表示する）は、円板状の固定部８から構成されている。
【００１８】
固定部８には、治具１に設けられたボール部５を嵌め込むためのボール穴部９と、治具１に設けられた頭部６を挿入させるための挿入穴部１０とが設けられている。
【００１９】
さらに、固定部８の下面は治具１の頭部６よりもやや大径の皿部１１が形成されている。すなわち、固定部８の下面には中央に挿入穴部１０を有する皿部１１が形成されている。
【００２０】
なお、同図にはボール穴部９を２個設けたものが表示されているが、これに限定するものではなく、１個でもよいし３個以上でもよい。
【００２１】
治具１は頭部６を治具７の挿入穴部１０に挿入させることにより、治具７と結合する。
【００２２】
次に、本発明に係る部品固定器具で取付け部品を固定する動作の一例について説明する。図３〜図５は本発明に係る部品固定器具で取付け部品を固定する動作の一例を示す模式図である。同図は取付け部品２１および２３を本発明に係る部品固定器具で固定する場合を示している。
【００２３】
図３は治具１を取付け部品２１および２３に取付ける動作、図４は治具７を取付け部品２１および２３に取付ける動作、図５は治具１および治具７で取付け部品２１および２３を固定する動作をそれぞれ示している。
【００２４】
図３を参照すると、取付け部品２１の取付け穴２２と、取付け部品２３の取付け穴２４とを合わせ、治具１をその頭部６から軸部４、軸部３の順に取付け穴２２および２４に挿入する。そして、固定部２が取付け部品２１に当接したところで挿入を停止する。
【００２５】
図４を参照すると、図３で取付け部品２３の取付け穴２４の下方に露出している治具１の頭部６と軸部４に治具７の挿入穴部１０を位置決めし、治具７を取付け部品２３に当接するまで挿入する。
【００２６】
図５を参照すると、取付け部品２３に当接するまで挿入した治具７を右回転あるいは左回転させて、治具１のボール部５を治具７のボール穴部９に嵌め込ませ、取付け部品２１と取付け部品２３とを固定する。
【００２７】
なお、治具７の固定部８の下面に設けた皿部１１は、治具１の頭部６を治具７の挿入穴部１０に挿入させた状態で、治具７を回転可能にする役割と、治具７を回転させた状態で治具７が治具１から抜けないよう支持する役割とを有している。
【実施例１】
【００２８】
次に、本発明の具体例について説明する。図６は本発明に係る部品固定器具を使用する対象となる筐体および搬送用治具の概略図、図７は筐体および搬送用治具を固定する動作を示す図である。
【００２９】
図６を参照すると、筐体３１と搬送用治具３２とを部品固定器具を用いて固定する場合が示されている。筐体３１の下部両側には前述の取付け部品２１と取付け穴２２とが設けられており、搬送用治具３２の上部両側には前述の取付け部品２３と取付け穴２４とが設けられている。
【００３０】
図７を参照すると、筐体３１の取付け穴２２の上方から治具１を挿入し、搬送用治具３２の取付け穴２４の下方から治具７を搬送用治具３２から飛び出している治具１に挿入し、治具７が搬送用治具３２に当接したら治具７または治具１をひねり、ボール部５をボール穴部９に嵌め込んで筐体３１と搬送用治具３２とを固定する。
【００３１】
本発明の第１実施例によれば、筐体３１と搬送用治具３２との固定をワンタッチで行うことが可能となる。その理由は、治具７または治具１をひねるだけで作業ができるためである。
【００３２】
また、筐体３１と搬送用治具３２との固定を、工具を用いないで行うことが可能となる。その理由は手で締められる構造だからである。
【００３３】
さらに、取付け部品の取り外しが可能である。その理由は治具７または治具１をひねることにより取付け部品の取り外しも可能となる構成だからである。
【実施例２】
【００３４】
図８（Ａ），（Ｂ）および図９（Ａ），（Ｂ）は本発明の第２実施例の構成図である。図８は治具１の第２実施例の構成を示し、図９は治具７の第２実施例の構成を示している。図８に示すように治具１にボール穴部９があり、図９に示すように治具７にボール部５がある構造も可能である。
【００３５】
なお、得られる効果は第１実施例と同様である。
【実施例３】
【００３６】
図１０（Ａ），（Ｂ）および図１１（Ａ），（Ｂ）は本発明の第３実施例の構成図である。図１０は治具１の第３実施例の構成を示し、図１１は治具７の第３実施例の構成を示している。図１０に示すように治具１にボール部５が２個（あるいは３個以上）あり、図１１に示すように治具７にボール穴部９が２個（あるいは３個以上）ある構造も可能である。
【００３７】
第３実施例の効果も第１実施例と同様である。なお、ボール部５あるいはボール穴部９の数を増加させることにより、治具１あるいは治具７をひねる角度を小さくすることが可能となる。
【産業上の利用可能性】
【００３８】
本発明は、ネジ、ボルトといった固定部品を使用する組み立ての分野での利用が考えられる。
【図面の簡単な説明】
【００３９】
【図１】本発明に係る部品固定器具の上部固定器具の一例の構成図である。
【図２】同部品固定器具の下部固定器具の一例の構成図である。
【図３】本発明に係る部品固定器具で取付け部品を固定する動作の一例を示す模式図である。
【図４】本発明に係る部品固定器具で取付け部品を固定する動作の一例を示す模式図である。
【図５】本発明に係る部品固定器具で取付け部品を固定する動作の一例を示す模式図である。
【図６】本発明に係る部品固定器具を使用する対象となる筐体および搬送用治具の概略図である。
【図７】筐体および搬送用治具を固定する動作を示す図である。
【図８】本発明の第２実施例の構成図である。
【図９】本発明の第２実施例の構成図である。
【図１０】本発明の第３実施例の構成図である。
【図１１】本発明の第３実施例の構成図である。
【図１２】従来の部品固定器具および取付け部品の一例の側面図である。
【符号の説明】
【００４０】
１、７  治具
２  固定部
３、４  軸部
５  突起部
６  頭部
８  固定部
９  ボール穴部
１０  挿入穴部
１１  皿部
２１，２３  取付け部品
２２、２４  取付け穴
３１  筐体
３２  搬送用治具
【図１】
2005256879.tif 000003
【図２】
2005256879.tif 000004
【図３】
2005256879.tif 000005
【図４】
2005256879.tif 000006
【図５】
2005256879.tif 000007
【図６】
2005256879.tif 000008
【図７】
2005256879.tif 000009
【図８】
2005256879.tif 000010
【図９】
2005256879.tif 000011
【図１０】
2005256879.tif 000012
【図１１】
2005256879.tif 000013
【図１２】
2005256879.tif 000014